(57)【特許請求の範囲】
【請求項１】
２０ヘルツ以上４０キロヘルツ以下の周波数を有して発生している音を当該音の周波数帯域を維持しつつ一又は複数の集音手段により同時に集音することで当該各集音手段毎に生成される音信号を、一の集音情報として蓄積する蓄積手段と、
前記蓄積された集音情報に含まれる前記音信号から、８キロヘルツ以上４０キロヘルツ以下の周波数を有する高周波音信号を抽出し、複数の前記集音情報に夫々対応する前記高周波音信号同士を混合することで、再生された際に、揺らぎを含む無作為な音となる混合音信号を複数チャンネル分生成する混合手段と、
前記生成された混合音信号を夫々の前記チャンネル毎に記録媒体に記録する記録手段と、
を備えることを特徴とする録音装置。
【請求項２】
請求項１に記載された録音装置により前記記録媒体に記録された複数チャンネル分の前記混合音信号を再生する再生装置であって、
前記混合音信号を前記記録媒体から夫々検出する検出手段と、
前記検出された混合音信号を、当該混合音信号が有する周波数帯域を維持しつつ夫々の前記チャンネル毎に別個に混合音として再生し、当該再生された混合音を夫々の前記チャンネル毎に常時放音する複数の放音手段と、
を備える特徴とする再生装置。
【請求項３】
請求項２に記載の再生装置において、
前記放音手段は、予め設定された一定時間毎に同じ前記混合音信号を繰り返し用いて各前記チャンネル毎の前記混合音を放音することを特徴とする再生装置。
【請求項４】
請求項１に記載された録音装置により前記記録媒体に記録された複数チャンネル分の前記混合音信号を再生する再生装置であって、
前記混合音信号を前記記録媒体から夫々検出する検出手段と、
前記検出された混合音信号を再生して得られる混合音を放音する空間の外部の音を集音し、外部音信号を生成する外部音集音手段と、
前記検出された混合音信号に前記生成された外部音信号を前記チャンネル毎に更に混合し、複数チャンネル分の外部音混合音信号を生成する再混合手段と、
前記生成された外部音混合音信号を、当該外部音混合音信号が有する周波数帯域を維持しつつ夫々の前記チャンネル毎に別個に混合音として再生し、当該再生された混合音を夫々の前記チャンネル毎に前記空間内に常時放音する複数の放音手段と、
を備えることを特徴とする再生装置。
【請求項５】
請求項４に記載の再生装置において、
前記再混合手段は、予め設定された一定時間毎に同じ前記混合音信号を繰り返し用いて各前記チャンネル毎の前記外部音混合音信号を生成することを特徴とする再生装置。
【請求項６】
請求項２から５のいずれか一項に記載の再生装置において、
前記放音手段は、人の生活及び行動に伴って発生する音のレベルに基づいて予め設定されたレベル以下の放音レベルで前記混合音を各前記チャンネル毎に放音することを特徴とする再生装置。
【請求項７】
請求項２から６のいずれか一項に記載の再生装置において、
当該再生装置の周囲で発生している周囲音のレベルを判定する判定手段を更に備え、
前記放音手段は、前記周囲音のレベルが予め設定された値以下となったとき、前記混合音の放音を開始することを特徴とする再生装置。
【発明の詳細な説明】
【０００１】
【発明の属する技術分野】
本発明は、録音装置及び再生装置の技術分野に属し、より詳細には、人が生活又は活動している空間内に放音する音を生成して録音する録音装置及び当該録音された音を当該空間内に放音する再生装置の技術分野に属する。
【０００２】
【従来の技術】
従来、ビルのオフィス内やマンションの室内、或いは走行中の車両内等の密閉された空間を人にとって快適な環境に保つための工夫として、エアコンディショナー、除湿器、加湿器、イオン発生器、消臭剤、アロマ器具、空気清浄器又は照明調光器等、様々な製品が開発されてきたが、その中で、その空間内の音については、より静かな音環境を求めて如何に遮音するか、又は会話、講演或いは演劇等に適した残響時間をどの程度とするか等の工夫がなされてきたのみであった。
【０００３】
【発明が解決しようとする課題】
しかしながら、上記した空間内の音に関しては、例えば高層ビルのエレベータ内や、乗合バス或いはいわゆるハイブリッドカーにおけるアイドリングストップ時の如き極端に静かで比較的小さな閉空間内に二人以上の人が存在している場合に、会話が途切れたときやバックグラウンドミュージックの曲間等においてはその空間内が過度に静かになることとなるが、この場合、その人同士で気まずさが生じたり過度に緊張してしまう状況になる場合がある。
【０００４】
また、その空間内の他人の衣擦れの音や息使いの音、車体の小さな軋み音や風きり音、エアコンディショナーやコンピュータのモータ音など、様々な微小な騒音が必要以上に気になることもある。
【０００５】
更に、例えば高層住宅の高層階に住む一人住まいの人にノイローゼが多いことの原因の一つに、室外からの音（特に高い周波数帯）が極度に欠けていることであるとの指摘もなされている。
【０００６】
一方、工場又は店舗等では、その中の人の作業能率や雰囲気等の向上を図るためにバックグラウンドミュージックを用いることが多いが、そのバックグラウンドミュージックとしての音楽には個人的な嗜好が強く、好みが分かれる場合がある。更に、そのバックグラウンドミュージックが流れている空間内で使用されている他の機器（テレビジョン装置、コンピュータ、オーディオ機器等）から音楽が放音された場合、そのバックグラウンドミュージックと放音されている音楽とが不協和音となって不快な音環境となってしまう場合もある。
【０００７】
更には、窓を締め切った走行中の車両内では、車室外からの視覚情報、すなわち、窓から見える外の景色と車室内の音とが相互に切り離される結果、相互に不整合となっており、視覚から得られる情報と聴覚から得られる情報とが整合しない非常に不自然な間隔の中で移動していることとなる。
【０００８】
そして、上記したいずれの場合でも、人が生活又は活動している空間が極度に静寂化するか、又は外部音と室内音とが不整合化することで、その人が精神的・肉体的な苦痛を受けることとなる。
【０００９】
そこで、本発明は、上記の問題点に鑑みて為されたもので、その課題は、人が生活している空間が極度に静寂化すること又は外部音と室内音とが不整合化することを意図的に防止することができ、当該過度な静寂又は不整合化に起因して感じられる精神的・肉体的な苦痛を和らげることが可能な録音装置及び再生装置を提供することにある。
【００１０】
【課題を解決するための手段】
上記の課題を解決するために、請求項１に記載の発明は、２０ヘルツ以上４０キロヘルツ以下の周波数を有して発生している音を当該音の周波数帯域を維持しつつ一又は複数のマイクロフォン等の集音手段により同時に集音することで当該各集音手段毎に生成される音信号を、一の集音情報として蓄積する蓄積部等の蓄積手段と、前記蓄積された集音情報に含まれる前記音信号から、８キロヘルツ以上４０キロヘルツ以下の周波数を有する高周波音信号を抽出し、複数の前記集音情報に夫々対応する前記高周波音信号同士を混合することで、再生された際に、揺らぎを含む無作為な音となる混合音信号を複数チャンネル分生成するミキサ等の混合手段と、前記生成された混合音信号を夫々の前記チャンネル毎に記録媒体に記録するレコーダ等の記録手段と、を備える。
【００１１】
よって、２０ヘルツ以上４０キロヘルツ以下の周波数を有して発生している音を集音して得られる音信号により集音情報を生成し、各集音情報に含まれる音信号から、８キロヘルツ以上４０キロヘルツ以下の周波数を有する高周波音信号を抽出し、複数の集音情報に夫々対応する高周波音信号同士を混合し、再生された際に揺らぎを含む無作為な音となる複数チャンネル分の混合音信号を生成して記録するので、当該記録された複数の混合音信号をその周波数帯域を維持しつつ夫々のチャンネル毎に別個に再生して常時放音することで、人が生活している空間が極度に静寂化することを意図的に防止することができ、当該過度な静寂に起因して感じられると考えられる精神的・肉体的な苦痛を和らげることができる。
【００１２】
上記の課題を解決するために、請求項２に記載の発明は、請求項１に記載された録音装置により前記記録媒体に記録された複数チャンネル分の前記混合音信号を再生する再生装置であって、前記混合音信号を前記記録媒体から夫々検出するプレーヤ等の検出手段と、前記検出された混合音信号を、当該混合音信号が有する周波数帯域を維持しつつ夫々の前記チャンネル毎に別個に混合音として再生し、当該再生された混合音を夫々の前記チャンネル毎に常時放音する複数のスピーカ等の放音手段と、を備える。
【００１３】
よって、請求項１に記載の録音装置により記録媒体に記録された複数の混合音信号を、その周波数帯域を維持しつつ夫々のチャンネル毎に別個に再生して常時放音するので、人が生活している空間が極度に静寂化することを意図的に防止することができ、当該過度な静寂に起因して感じられると考えられる精神的・肉体的な苦痛を和らげることができる。
【００１４】
上記の課題を解決するために、請求項３に記載の発明は、請求項２に記載の再生装置において、前記放音手段は、予め設定された一定時間毎に同じ前記混合音信号を繰り返し用いて各前記チャンネル毎の前記混合音を放音するように構成される。
【００１５】
よって、一定時間毎に同じ混合音信号を繰り返し用いて各チャンネル毎の混合音を放音するので、混合音信号を記録しておくための記録媒体上の領域を小さくすることができる。
【００１６】
上記の課題を解決するために、請求項４に記載の発明は、請求項１に記載された録音装置により前記記録媒体に記録された複数チャンネル分の前記混合音信号を再生する再生装置であって、前記混合音信号を前記記録媒体から夫々検出するプレーヤ等の検出手段と、前記検出された混合音信号を再生して得られる混合音を放音する空間の外部の音を集音し、外部音信号を生成するマイクロフォン等の外部音集音手段と、前記検出された混合音信号に前記生成された外部音信号を前記チャンネル毎に更に混合し、複数チャンネル分の外部音混合音信号を生成する加算器等の再混合手段と、前記生成された外部音混合音信号を、当該外部音混合音信号が有する周波数帯域を維持しつつ夫々の前記チャンネル毎に別個に混合音として再生し、当該再生された混合音を夫々の前記チャンネル毎に前記空間内に常時放音する複数のスピーカ等の放音手段と、を備える。
【００１７】
よって、請求項１に記載の録音装置により記録媒体に記録された複数チャンネル分の混合音信号に対して外部音信号をチャンネル毎に更に混合し、生成された複数の外部音混合音信号における周波数帯域を維持しつつ夫々のチャンネル毎に別個に再生して常時放音するので、人が生活している空間が極度に静寂化することを意図的に防止すること及び当該空間と外部空間との間における音に関する齟齬を解消することができ、当該過度な静寂に起因して感じられると考えられる精神的・肉体的な苦痛を和らげることができると共に、外部空間の音と矛盾しない音が流れるより快適な空間を形成することができる。
【００１８】
上記の課題を解決するために、請求項５に記載の発明は、請求項４に記載の再生装置において、前記再混合手段は、予め設定された一定時間毎に同じ前記混合音信号を繰り返し用いて各前記チャンネル毎の前記外部音混合音信号を生成するように構成される。
【００１９】
よって、一定時間毎に同じ混合音信号を繰り返し用いて各チャンネル毎の外部音混合音信号を生成するので、混合音信号を記録しておくための記録媒体上の領域を小さくすることができる。
【００２０】
上記の課題を解決するために、請求項６に記載の発明は、請求項２から５のいずれか一項に記載の再生装置において、前記放音手段は、人の生活及び行動に伴って発生する音のレベルに基づいて予め設定されたレベル以下の放音レベルで前記混合音を各前記チャンネル毎に放音するように構成される。
【００２１】
よって、人の生活及び行動に伴って発生する音のレベルに基づいて設定されたレベル以下の放音レベルで混合音を各チャンネル毎に放音するので、より快適な音が流れる空間を形成することができる。
【００２２】
上記の課題を解決するために、請求項７に記載の発明は、請求項２から６のいずれか一項に記載の再生装置において、当該再生装置の周囲で発生している周囲音のレベルを判定する判定部等の判定手段を更に備え、前記放音手段は、前記周囲音のレベルが予め設定された値以下となったとき、前記混合音の放音を開始するように構成される。
【００２３】
よって、周囲音のレベルが予め設定された値以下となったとき混合音の放音を開始するので、必要なときのみ快適な混合音を空間内に放音することができる。
【００２４】
【発明の実施の形態】
次に、本発明に好適な実施の形態について、図面に基づいて説明する。
【００２５】
なお、以下に説明する実施の形態は、人が生活又は活動する空間内に放音する音を生成して録音する録音装置及び当該録音された音を再生して当該空間内に放音する再生装置に対して本発明を適用した場合の実施の形態である。
【００２６】
（Ｉ）本発明の原理
先ず、本発明に係る実施形態について説明する前に、本発明の原理について説明する。
【００２７】
複数の文献（例えば、仁科、大橋;「情報遮蔽性居住空間における音環境の生理的影響に関する基礎研究」;1991年度第26回日本都市計画学会学術研究論文集;P367-P372;1991年  又は  大橋、仁科他;「自然音にふくまれる可聴域上限をこえる高周波成分の生理的・心理的効果」;第10回ヒューマン・インターフェース・シンポジウム・ワークショップ報告;P87-P97;1995年  等）で公知となっているように、山又は川等の自然界で発生している音だけでなく都市部において自然に発生している音をも広帯域録音し、このうちの高周波数成分のみを抽出し、その抽出した高周波成分を用いて、際立った特徴がなく且つ自然の揺らぎを備える音を生成し、これを人の生活空間内にいわゆるバックグラウンドミュージックとして放音することで、上述した如き当該生活空間が極度に静寂化することに起因するその人の精神的・肉体的な苦痛を和らげることができることが医学的見地からも証明されている。
【００２８】
そこで、本発明では、自然界に存在する種々の音を広帯域録音し、その中から人に心地よい成分を抽出してミキシングし、そのミキシングした音を例えば４チャンネルの再生装置を用いて当該生活空間内に放音することで、上記人において快適な音環境を有する生活空間を提供する。
【００２９】
（II）第１実施形態
次に、上記した原理に基づく本発明に係る第１の実施形態について、図１及び図２を用いて説明する。
【００３０】
なお、図１は第１実施形態に係る集音装置及び録音装置の概要構成を示すブロック図であり、図２は第１実施形態に係る再生装置の構成を示す図である。
【００３１】
先ず、第１実施形態に係る集音装置の概要構成について、図１（ａ）を用いて説明する。
【００３２】
図１（ａ）に示すように、第１実施形態に係る集音装置ＣＴは、集音手段としてのｎ個のマイクロフォンＭ１乃至Ｍｎと、当該マイクロフォンＭ１乃至Ｍｎと同数のアンプＡ１乃至Ａｎと、蓄積手段としての音源蓄積部ＳＧと、により構成されている。このとき、集音装置ＣＴに含まれている各構成部材の全ては、広帯域、具体的には、２０ヘルツ以上４０キロヘルツ以下の周波数を有する音に対応可能な周波数帯域を備えている。
【００３３】
次に各構成部材の動作を説明する。
【００３４】
マイクロフォンＭ１乃至Ｍｎは、夫々に２０ヘルツ以上４０キロヘルツ以下の周波数を有する音を集音し、対応する集音信号Ｓmcを夫々に生成してアンプＡ１乃至Ａｎに出力する。ここで、各マイクロフォンＭ１乃至Ｍｎは、通常は相互に離れた位置に設置されその場で自然に発生している音を、その周波数帯域（すなわち、２０ヘルツ以上４０キロヘルツ以下）を維持しつつ原音に近く且つ無作為に集音する。
【００３５】
次に、各アンプＡ１乃至Ａｎは、夫々に入力されている上記集音信号Ｓmcを予め設定された増幅率により増幅し、増幅集音信号Ｓapを夫々に生成する。
【００３６】
そして、音源蓄積部ＳＧは、各マイクロフォンＭ及び各アンプＡを用いて生成された増幅集音信号Ｓapを夫々別個に含む一の音源ファイルＳＤ（図１（ａ）に示す場合は音源ファイルＳＤ４）を生成し、当該生成された音源ファイルＳＤを蓄積記憶する。なお、一の音源ファイルＳＤ内においては、上記各増幅集音信号Ｓapの夫々は別個に識別可能に含まれている。
【００３７】
また、音源蓄積部ＳＧは、一の場所において一又は複数のマイクロフォンＭ及びアンプＡを用いて同時に集音されて生成された一又は複数の増幅集音信号Ｓapを夫々に含む音源ファイルＳＤ１乃至ＳＤｍを、相互に識別可能に複数個蓄積記憶する。
【００３８】
次に、第１実施形態に係る録音装置の構成及び動作について図１（ｂ）を用いて説明する。
【００３９】
図１（ｂ）に示すように、第１実施形態に係る録音装置ＲＳは、必要に応じて上記各アンプＡ及びマイクロフォンＭが取り外された上記音源蓄積部ＳＧと、各上記音源ファイルＳＤ内の増幅集音信号Ｓapを夫々別個に処理可能な数のイコライザＥ１乃至Ｅｍと、混合手段としてのミキサＭＸと、記録手段としてのレコーダＲと、により構成されている。このとき、録音装置ＲＳに含まれている各構成部材の全ては、２０ヘルツ以上４０キロヘルツ以下の周波数を有する音に対応可能な周波数帯域を備えている。
【００４０】
次に各構成部材の動作を説明する。
【００４１】
先ず、音源蓄積部ＳＧは、各音源ファイルＳＤに含まれている増幅集音信号Ｓapを、各音源ファイルＳＤ毎に、当該各音源ファイルＳＤに対応するイコライザＥに逐次出力する。
【００４２】
そして、各イコライザＥ１乃至Ｅｍは、夫々に入力されてくる増幅集音信号Ｓapにおける高周波数成分を抽出して波形整形し、イコライザ信号Ｓeqを夫々に生成してミキサＭＸへ出力する。このとき、高周波成分として具体的には、各増幅集音信号Ｓapにおける８キロヘルツ以上４０キロヘルツ以下の周波数を有する成分がイコライザ信号ＳeqとしてミキサＭＸに出力される。
【００４３】
次に、ミキサＭＸにおいては、夫々に入力されたイコライザ信号Ｓeqの内の必要な部分同士がミキシングされ、再生されたときに際立った特徴がなく且つ自然の揺らぎを含んだ音となる混合音信号Ｓmxを４チャンネル分生成して夫々のチャンネル毎にレコーダＲへ出力する。
【００４４】
ここで、「際立った特徴がない」とは、特定のキーを感じさせるスケール音やハーモニー、規則性を感じさせる明確なリズムを含んでいない状態をいう。
【００４５】
また、「揺らぎ」については、第１実施形態の録音装置ＲＳにより集音される音は自然の状態から発生してくるいわゆる環境音であり、様々な事象から発生した多数の音が重なり合ったものである。従って、当該集音される環境音においては、その音の各々が持つ規則性又は不規則なリズムが複雑に混合されて一種のポリリズム（リズムの異なる音が同時に奏されていること。アクセントや拍子がずれているときはポリメトリックともいう。）が形成されている。そして、このようにして集音された環境音を、その全体を通して聴いた場合、音量及びリズム共に大小のうねりを生じて聞こえるのであるが、この「うねり」が上記揺らぎとなるものである。
【００４６】
更に、混合音信号Ｓmxを４チャンネル分生成するのは、再生時に、より自然に近い状態で聴こえる音を放音させるためであり、２チャンネル以下の音だとこの自然に近い状態が実現されないのである。
【００４７】
そして、レコーダＲは、当該混合音信号Ｓmxを、各チャンネル毎にその周波数帯域を維持したまま光ディスクＤＫに光学的に記録する。
【００４８】
次に、第１実施形態に係る再生装置の構成及び動作について図２を用いて説明する。なお、当該再生装置は、本発明に係る音を放音すべき場所、例えば、人の生活空間である室内や車両内に設置されるものである。
【００４９】
図２（ａ）に示すように、第１実施形態に係る再生装置ＰＳは、検出手段としてのプレーヤＰと、放音手段としてのアンプＡＭと、４チャンネル分の放音手段としてのスピーカＳＰ１乃至ＳＰ４と、により構成されている。このとき、再生装置ＰＳに含まれている各構成部材の全ては、録音装置ＲＳの場合と同様に、２０ヘルツ以上４０キロヘルツ以下の周波数を有する音に対応可能な周波数帯域を備えている。
【００５０】
次に、動作を説明する。
【００５１】
先ず、プレーヤＰは、上記録音装置ＲＳにより光ディスクＤＫに録音された混合音信号Ｓmxを各チャンネル毎に検出し、検出信号Ｓpとして夫々のチャンネル毎にアンプＡＭに出力する。
【００５２】
そして、アンプＡＭは、チャンネル毎に入力されている上記検出信号Ｓpを予め設定された増幅率により増幅し、増幅検出信号Ｓspを対応するスピーカＳＰ毎に生成して当該各スピーカＳＰ１乃至ＳＰ４へ出力する。
【００５３】
このとき、当該増幅検出信号Ｓspの出力レベル、すなわち、当該スピーカＳＰ１乃至ＳＰ４により放音される音の音量は、その空間内に存在する人の生活及び行動に伴って発生する音のレベルに基づいて設定されたレベル以下のレベルとされる。より体的には、その空間内に存在する人の会話や作業に伴って当該人に意識されることがない低いレベルとされるものであり、当該会話や作業が停止して本発明により放音される音のみとなっても心地よくその人に聴かれる程度（更に具体的には、本発明による放音が停止されたときにその停止されたことがその人に認識される程度）の出力レベルとされる。
【００５４】
これらにより、各スピーカＳＰ１乃至ＳＰ４は夫々に対応する増幅検出信号Ｓspを音に変換して当該スピーカＳＰ１乃至ＳＰ４が設置されている空間内に上記出力レベルにより放音する。ここで、当該放音は、人の就寝中も含めて常時行われていることが望ましい。
【００５５】
なお、上記各スピーカＳＰ１乃至ＳＰ４の夫々により放音される音の周波数スペクトルは、例えば図２（ｂ）に示すように一定の出力レベルＬを有する無作為且つ無特徴な音が常時放音されていることとなる。
【００５６】
以上説明したように、第１実施形態に係る集音装置ＣＴ、録音装置ＲＳ及び再生装置ＰＳによれば、２０ヘルツ以上４０キロヘルツ以下の周波数を有して発生している音を集音して得られる増幅集音信号Ｓapにより音源ファイルＳＤを生成し、各音源ファイルＳＤに含まれる音信号から、８キロヘルツ以上４０キロヘルツ以下の周波数を有するイコライザ信号Ｓeqを抽出し、複数の音源ファイルＳＤに夫々対応するイコライザ信号Ｓeq同士を混合し、再生された際に揺らぎを含む無作為な音となる４チャンネル分の混合音信号Ｓmxを生成して記録するので、当該記録された各混合音信号Ｓmxをその周波数帯域を維持しつつ夫々のチャンネル毎に別個に再生して常時放音することで、人が生活している空間が極度に静寂化することを意図的に防止することができ、当該過度な静寂に起因して感じられると考えられる精神的・肉体的な苦痛を和らげることができる。
【００５７】
また、人の生活及び行動に伴って発生する音のレベルに基づいて設定されたレベル以下の放音レベルで音を各チャンネル毎に放音するので、より快適な音が流れる空間を形成することができる。
【００５８】
更に、複数のマイクロフォンＭにより同時に集音して生成された集音信号Ｓmcを用いて必要な空間内に放音するので、自然環境に存在する音の拡がりをその空間内に存在する人に感じさせることができ、閉空間からの開放感をその人に与えることができると共にその人の覚醒効果をもたらすことも可能となる。
【００５９】
なお、上述した第１実施形態において、光ディスクＤＫに記録された混合音信号Ｓmxを一定時間毎に繰り返して再生・放音するように構成しても良い。この場合には、一定時間毎に同じ混合音信号Ｓmxを繰り返し用いて各チャンネル毎に放音するので、混合音信号Ｓmxを記録しておくための光ディスクＤＫ上の領域を小さくすることができる。
【００６０】
（III）第２実施形態
次に、本発明に係る他の実施形態である第２実施形態について、図３を用いて説明する。なお、図３は第２実施形態に係る再生装置の概要構成を示すブロック図である。
【００６１】
上記した第１実施形態においては、空間に放音される音の音源として光ディスクＤＫに録音された混合音信号Ｓmxのみを用いる場合について説明したが、以下に説明する第２実施形態においては、当該混合音信号Ｓmxと共にその時の室外の音をも用いて放音されるべき音を生成する。
【００６２】
また、第２実施形態に係る集音装置及び録音装置の構成は上記した第１実施形態に係る集音装置ＣＴ及び録音装置ＲＳの構成と全く同様であるので、細部の説明は省略する。更に、図３において、図２に示した再生装置ＰＳの構成部材と同様の構成部材については、同様の部材番号を付して細部の説明は省略する。
【００６３】
図３に示すように、第２実施形態に係る再生装置ＰＳＳは、例えば、車両用オーディオ装置の一部として当該車両内に設置されるものであり、具体的には、上記再生装置ＰＳにおけるプレーヤＰ、アンプＡＭ及びスピーカＳＰ１乃至ＳＰ４に加えて、マイクロフォンＭＰ２及び外部集音手段としてのマイクロフォンＭＰ１と、アンプＡＸと、判定手段としての判定部Ｊと、再混合手段としての加算部ＡＤと、により構成されている。ここで、上記構成部材のうち、マイクＭＰ１以外は全て放音すべき室内（車室内）に設置されているものであり、マイクＭＰ１のみ室外（車室外）に設置されているものである。このとき、再生装置ＰＳＳに含まれている各構成部材の全ては、第１実施形態の場合と同様に、２０ヘルツ以上４０キロヘルツ以下の周波数を有する音に対応可能な周波数帯域を備えている。
【００６４】
次に動作を説明する。
【００６５】
先ず、マイクロフォンＭＰ１は、当該室外（車室外）の音を実時間で集音し、集音信号Ｓmpを生成してアンプＡＸに出力する。
【００６６】
そして、アンプＡＸは、入力されている上記集音信号Ｓmpを予め設定された増幅率により増幅し、増幅集音信号Ｓaxを生成して加算器ＡＤへ出力する。
【００６７】
これにより、加算器ＡＤは、上記増幅集音信号Ｓaxと上記検出信号Ｓpとをチャンネル毎に混合し、加算検出信号Ｓpmを生成してアンプＡＭへ出力する。
【００６８】
そして、アンプＡＭは、第１実施形態の場合と同様にして増幅検出信号Ｓspを各スピーカＳＰ１乃至ＳＰ４毎に生成し、これらを当該各スピーカＳＰ１乃至ＳＰ４に出力する。
【００６９】
このとき、マイクロフォンＭＰ２は当該スピーカＳＰ１乃至ＳＰ４が設置されている室内（車室内）の音を集音し、集音信号Ｓmppを生成して判定部Ｊに出力する。
【００７０】
そして、判定部Ｊは、当該集音信号Ｓmppに基づいて、当該室内（車室内）の音のレベルが予め別途設定された値以下となったときのみ上記増幅検出信号Ｓspの出力を行うように上記アンプＡＭを制御すべく制御信号Ｓcを生成して当該アンプＡＭへ出力する。
【００７１】
その後、各スピーカＳＰ１乃至ＳＰ４は、第１実施形態の場合と同様に夫々に対応して出力されてきた増幅検出信号Ｓspを音に変換して当該スピーカＳＰ１乃至ＳＰ４が設置されている空間（車室内）内に上記出力レベルにより放音する。
【００７２】
以上説明したように、第２実施形態の集音装置、録音装置及び再生装置ＰＳＳの動作によれば、第１実施形態に係る集音装置ＣＴ、録音装置ＲＳ及び再生装置ＰＳの効果に加えて、第２実施形態に係る録音装置により光ディスクＤＫに記録された４チャンネル分の混合音信号Ｓmxに対して集音信号Ｓmpをチャンネル毎に更に混合し、生成された複数チャンネル分の加算検出信号Ｓpmにおける周波数帯域を維持しつつ夫々のチャンネル毎に別個に再生して常時放音するので、人が活動（搭乗）している空間（車室内）が極度に静寂化することを意図的に防止すること及び当該空間（車室内）と外部空間（車室外）との間における音に関する齟齬を解消することができ、当該過度な静寂に起因して感じられると考えられる精神的・肉体的な苦痛を和らげることができると共に、外部空間（車室外）の音と矛盾しない音が流れるより快適な空間を形成することができる。
【００７３】
なお、上述した第２実施形態におけるマイクロフォンＭＰ１を二以上備えることにより外部音を夫々に集音して生成した複数の集音信号Ｓmpを夫々に増幅して検出信号Ｓpに加算するように構成することもできる。
【００７４】
また、上述した第２実施形態における判定部Ｊ及びマイクロフォンＭＰ２を、そのまま第１実施形態に係るアンプＡＭに接続し、第１実施形態の再生装置ＰＳにおいて当該室内の音のレベルが予め別途設定された値以下となったときのみ上記増幅検出信号Ｓspの出力を行うようにアンプＡＭを制御してもよい。
【００７５】
また、混合音信号Ｓmxを記録する記録媒体を、上述した光ディスクＤＫではなく、例えば半導体メモリ等の小型のものにすれば、例えば第１実施形態に係る再生装置ＰＳ又は第２実施形態に係る再生装置ＰＳＳ自体も小型化することが可能となるので、この状態の再生装置ＰＳ又はＰＳＳを例えば室内のエアコンディショナー内に設けるようにすることも可能である。
【００７６】
ここで、当該エアコンディショナー内に再生装置ＰＳ又はＰＳＳを設ける場合、夏においては、例えば、水系（川のせせらぎ又は雨音等）の音を集音して用いることにより、感覚的な体感温度をより低く感じさせることで実際の機械的な設定温度を一乃至二度高く設定させれば、近年叫ばれている省エネルギーに貢献することも可能となる。
【００７７】
更に、上述した集音装置ＣＴ及び録音装置ＲＳにおいて、その再生・放音時における種々の状況、例えば、一日の内の時間帯、再生・放音が為される場所、生活様式及び仕事の状況を夫々予測した上でミキシングの態様を変更して生成した混合音信号Ｓmxを光ディスクＤＫに記録するように構成することも可能である。
【００７８】
更にまた、上述した各実施形態においては、４チャンネル分の音を集音して再生・放音する場合について説明したが、これ以外に、５チャンネル分以上の音を集音して再生・放音することが可能であることは言うまでもない。
【００７９】
また、極度に静寂化する空間としては、上述した車室内やエレベータ内の他に、例えば、有人宇宙船、有人宇宙基地又は空気の無い惑星に建設された有人基地における人の活動スペース等が考えられるため、これらの空間内に各実施形態に係る再生装置ＰＳ又はＰＳＳを設置すればより効果的に本発明を用いることができる。
【００８０】
【発明の効果】
以上説明したように、請求項１に記載の発明によれば、２０ヘルツ以上４０キロヘルツ以下の周波数を有して発生している音を集音して得られる音信号により集音情報を生成し、各集音情報に含まれる音信号から、８キロヘルツ以上４０キロヘルツ以下の周波数を有する高周波音信号を抽出し、複数の集音情報に夫々対応する高周波音信号同士を混合し、再生された際に揺らぎを含む無作為な音となる複数チャンネル分の混合音信号を生成して記録するので、当該記録された複数の混合音信号をその周波数帯域を維持しつつ夫々のチャンネル毎に別個に再生して常時放音することで、人が生活している空間が極度に静寂化することを意図的に防止することができ、当該過度な静寂に起因して感じられると考えられる精神的・肉体的な苦痛を和らげることができる。
【００８１】
請求項２に記載の発明によれば、請求項１に記載の録音装置により記録媒体に記録された複数の混合音信号を、その周波数帯域を維持しつつ夫々のチャンネル毎に別個に再生して常時放音するので、人が生活している空間が極度に静寂化することを意図的に防止することができ、当該過度な静寂に起因して感じられると考えられる精神的・肉体的な苦痛を和らげることができる。
【００８２】
請求項３に記載の発明によれば、請求項２に記載の発明の効果に加えて、一定時間毎に同じ混合音信号を繰り返し用いて各チャンネル毎の混合音を放音するので、混合音信号を記録しておくための記録媒体上の領域を小さくすることができる。
【００８３】
請求項４に記載の発明によれば、請求項１に記載の録音装置により記録媒体に記録された複数チャンネル分の混合音信号に対して外部音信号をチャンネル毎に更に混合し、生成された複数の外部音混合音信号における周波数帯域を維持しつつ夫々のチャンネル毎に別個に再生して常時放音するので、人が生活している空間が極度に静寂化することを意図的に防止すること及び当該空間と外部空間との間における音に関する齟齬を解消することができ、当該過度な静寂に起因して感じられると考えられる精神的・肉体的な苦痛を和らげることができると共に、外部空間の音と矛盾しない音が流れるより快適な空間を形成することができる。
【００８４】
請求項５に記載の発明によれば、請求項４に記載の発明の効果に加えて、一定時間毎に同じ混合音信号を繰り返し用いて各チャンネル毎の外部音混合音信号を生成するので、混合音信号を記録しておくための記録媒体上の領域を小さくすることができる。
【００８５】
請求項６に記載の発明によれば、請求項２から５のいずれか一項に記載の発明の効果に加えて、人の生活及び行動に伴って発生する音のレベルに基づいて設定されたレベル以下の放音レベルで混合音を各チャンネル毎に放音するので、より快適な音が流れる空間を形成することができる。
【００８６】
請求項７に記載の発明によれば、請求項２から６のいずれか一項に記載の発明の効果に加えて、周囲音のレベルが予め設定された値以下となったとき混合音の放音を開始するので、必要なときのみ快適な混合音を空間内に放音することができる。
【図面の簡単な説明】
【図１】第１実施形態に係る集音装置及び録音装置の概要構成を示すブロック図であり、（ａ）は当該集音装置の概要構成を示すブロック図であり、（ｂ）は当該録音装置の概要構成を示すブロック図である。
【図２】第１実施形態に係る再生装置を示す図であり、（ａ）は当該再生装置の概要構成を示すブロック図であり、（ｂ）は放音される音の周波数スペクトルを例示する図である。
【図３】第２実施形態に係る再生装置の概要構成を示すブロック図である。
【符号の説明】
Ｍ１、Ｍ２、Ｍ３、Ｍｎ、ＭＰ１、ＭＰ２…マイクロフォン
Ａ１、Ａ２、Ａ３、Ａｎ、ＡＸ…アンプ
Ｅ１、Ｅ２、Ｅ３、Ｅ４、Ｅｍ…イコライザ
ＭＸ…ミキサ
Ｒ…レコーダ
ＣＴ…集音装置
ＳＧ…音源蓄積部
ＳＤ１、ＳＤ２、ＳＤ３、ＳＤ４、ＳＤｍ…音源ファイル
ＲＳ…録音装置
ＤＫ…光ディスク
ＰＳ、ＰＳＳ…再生装置
Ｐ…プレーヤ
ＡＭ…アンプ
Ｊ…判定部
ＡＤ…加算部
ＳＰ１、ＳＰ２、ＳＰ３、ＳＰ４…スピーカ
Ｓmc、Ｓmp、Ｓmpp…集音信号
Ｓap、Ｓax…増幅集音信号
Ｓeq…イコライザ信号
Ｓmx…混合音信号
Ｓp…検出信号
Ｓsp…増幅検出信号
Ｓpm…加算検出信号
Ｓc…制御信号
【図１】
0004014910.tif 000002
【図２】
0004014910.tif 000003
【図３】
0004014910.tif 000004